(57)【要約】  外部機器との間で必要な通信を良好に行い得るようにする。  コンテンツデータ取扱部は、外部機器に第１のラインを介して接続されている。通信部は、外部機器に第２のラインを介して接続されている。コンテンツデータ取扱部は、例えば、コンテンツデータを外部機器に送信するコンテンツデータ送信部、あるいは、コンテンツデータを外部機器から受信するコンテンツデータ受信部である。通信部により、第１のラインが使用不能な状態で、第２のラインを介して、外部機器に、問い合わせ信号を送信する。例えば、インタフェース部がスタンバイ状態にある場合、その状態を維持したまま、外部機器に必要な事項を問い合わせることが可能となる。外部機器の消費電力を最大限セーブすることができるため、外部機器の省エネルギー化にも貢献できる。
2014061624.tif 000002
【特許請求の範囲】
【請求項１】
外部機器に第１のラインを介して接続されるコンテンツデータ取扱部と、
上記外部機器に第２のラインを介して接続される通信部とを備え、
上記通信部は、
上記第１のラインが使用不能な状態で、上記第２のラインを介して、上記外部機器に、問い合わせ信号を送信する
電子機器。
【請求項２】
上記通信部は、
上記第１のラインが使用不能な状態で、上記第２のラインを介して、上記外部機器から、上記問い合わせ信号に対する応答信号を受信する
請求項１に記載の電子機器。
【請求項３】
上記外部機器の電源部に第３のラインを介して接続される充電部と、
上記充電部の充電動作を制御する充電制御部とをさらに備え、
上記問い合わせ信号は上記外部機器の電流供給能力を問い合わせるための信号であり、
上記充電制御部は、
上記応答信号に応じて上記充電部が上記第３のラインから引き込む電流値を制御する
請求項２に記載の電子機器。
【請求項４】
上記応答信号には、電流上限値の情報が含まれる
請求項３に記載の電子機器。
【請求項５】
上記応答信号には、電流上限値の種類を示す情報が含まれる
請求項３に記載の電子機器。
【請求項６】
上記外部機器の充電部に第３のラインを介して接続される電源部と、
表示部と、
上記表示部の表示動作を制御する表示制御部とをさらに備え、
上記問い合わせ信号は、上記外部機器のバッテリ残量を問い合わせるための信号であり、
上記表示制御部は、
上記応答信号に応じて上記表示部に上記外部機器のバッテリ残量情報を表示する
請求項２に記載の電子機器。
【請求項７】
上記通信部は、
上記第２のラインと、接地ラインとの間の抵抗値に基づいて、上記第１のラインが使用不能な状態にあることを認識する
請求項１に記載の電子機器。
【請求項８】
外部機器に第１のラインを介して接続されるコンテンツデータ取扱部と、
上記外部機器に第２のラインを介して接続される通信部と、
上記外部機器の電源部に第３のラインを介して接続される充電部とを備える電子機器の充電制御方法であって、
上記第１のラインが使用不能な状態にあるとき、上記通信部から上記第２のラインを介して上記外部機器に上記外部機器の電流供給能力を問い合わせるための問い合わせ信号を送信し、該問い合わせ信号に対して上記通信部で上記外部機器から上記第２のラインを介して応答信号を受信し、該応答信号に応じて上記充電部が上記第３のラインから引き込む電流値を制御する
電子機器の充電制御方法。
【請求項９】
外部機器に第１のラインを介して接続されるコンテンツデータ取扱部と、
上記外部機器に第２のラインを介して接続される通信部と、
上記外部機器の充電部に第３のラインを介して接続される電源部と、
表示部とを備える電子機器のバッテリ残量表示方法であって、
上記第１のラインが使用不能な状態にあるとき、上記通信部から上記第２のラインを介して上記外部機器に上記外部機器のバッテリ残量を問い合わせるための問い合わせ信号を送信し、該問い合わせ信号に対して上記通信部で上記外部機器から上記第２のラインを介して応答信号を受信し、該応答信号に応じて上記表示部に上記外部機器のバッテリ残量情報を表示する
電子機器のバッテリ残量表示方法。
【請求項１０】
外部機器のデジタルインタフェース部に伝送路を介して接続されるデジタルインタフェース部を備え、
上記デジタルインタフェース部は、
外部機器のデジタルインタフェース部に第１のラインを介して接続されるコンテンツデータ取扱部と、
上記外部機器のデジタルインタフェース部に第２のラインを介して接続される通信部とを有し、
上記通信部は、
上記外部機器のデジタルインタフェース部がスタンバイ状態で、上記第２のラインを介して、上記外部機器のデジタルインタフェース部に、問い合わせ信号を送信する
電子機器。
【請求項１１】
上記通信部は、
上記外部機器のデジタルインタフェース部がスタンバイ状態で、上記第２のラインを介して、上記外部機器のデジタルインタフェース部から、上記問い合わせ信号に対する応答信号を受信する
請求項１０に記載の電子機器。
【請求項１２】
上記デジタルインタフェースは、ＭＨＬ（Mobile High-definition Link）規格のインタフェースである
請求項１０に記載の電子機器。
【請求項１３】
シンク機器に第１のラインを介して接続されるコンテンツデータ送信部と、
上記シンク機器に第２のラインを介して接続される通信部と、
上記シンク機器の電源部に第３のラインを介して接続される充電部と、
上記充電部の充電動作を制御する充電制御部とを備え、
上記通信部は、
上記第１のラインが使用不能な状態で、上記第２のラインを介して、上記シンク機器に電流供給能力を問い合わせるための問い合わせ信号を送信すると共に、上記シンク機器から該問い合わせ信号に対する応答信号を受信し、
上記充電制御部は、
上記応答信号に応じて上記充電部が上記第３のラインから引き込む電流値を制御する
ソース機器。
【請求項１４】
ソース機器に第１のラインを介して接続されるコンテンツデータ受信部と、
上記ソース機器に第２のラインを介して接続される通信部と、
上記ソース機器の充電部に第３のラインを介して接続される電源部と、
表示部と、
上記表示部の表示動作を制御する表示制御部とを備え、
上記通信部は、
上記第１のラインが使用不能な状態で、上記第２のラインを介して、上記ソース機器にバッテリ残量を問い合わせるための問い合わせ信号を送信すると共に、上記ソース機器から該問い合わせ信号に対する応答信号を受信し、
上記表示制御部は、
上記応答信号に応じて上記表示部に上記外部機器のバッテリ残量情報を表示する
シンク機器。
【発明の詳細な説明】
【技術分野】
【０００１】
本技術は、電子機器、電子機器の充電制御方法、電子機器のバッテリ残量表示方法、ソース機器およびシンク機器に関し、特に、外部機器との間でデジタルインタフェースを介してコンテンツデータの伝送を行う電子機器等に関する。
【背景技術】
【０００２】
近年、例えば、ソース機器からシンク機器に画像および音声のデータを高速に伝送する通信インタフェースとして、ＭＨＬ（Mobile High-definition Link）規格が提案されている（例えば、特許文献１参照）。このＭＨＬ規格は、携帯機器向けの高速映像伝送用のインタフェース規格である。【０００３】
このＭＨＬ規格では、ＶＢＵＳラインを経由して、シンク（SINK）機器からソース（SOURCE）機器に対して、バッテリ充電用に＋５Ｖの電源が供給される。ソース機器がＶＢＵＳラインから引き込むことのできる電流はシンク機器の電流供給能力により異なる。ソース機器は、事前にシンク機器のケーパビリティを読み出し、シンク機器の電流供給能力を把握することで、シンク機器の電流供給能力の上限まで充電に利用することができる。
【先行技術文献】
【特許文献】
【０００４】
【特許文献１】特開２０１１−２４４３９１号公報
【発明の概要】
【発明が解決しようとする課題】
【０００５】
しかし、ＭＨＬ規格では、シンク機器からのケーパビリティ読み出しが可能なのは、シンク機器がアクティブ（Active）状態のときだけで、シンク機器がスタンバイ（Standby）状態では読み出し不可となる。その結果、ソース機器は、シンク機器がスタンバイ状態では、シンク機器のケーパビリティが不明なことから、ＭＨＬ各バージョンで定義する最低保証の電流値（０．１Ａ）までしか使用できないという不都合がある。【０００６】
本技術の目的は、外部機器との間で必要な通信を良好に行い得るようにすることにある。
【課題を解決するための手段】
【０００７】
本技術の概念は、
外部機器に第１のラインを介して接続されるコンテンツデータ取扱部と、
上記外部機器に第２のラインを介して接続される通信部とを備え、
上記通信部は、
上記第１のラインが使用不能な状態で、上記第２のラインを介して、上記外部機器に、問い合わせ信号を送信する
電子機器にある。【０００８】
本技術は、コンテンツデータ取扱部と通信部を備えるものである。コンテンツデータ取扱部は、外部機器に第１のラインを介して接続されている。通信部は、外部機器に第２のラインを介して接続されている。コンテンツデータ取扱部は、例えば、コンテンツデータを外部機器に送信するコンテンツデータ送信部、あるいは、コンテンツデータを外部機器から受信するコンテンツデータ受信部である。【０００９】
そして、通信部により、第１のラインが使用不能な状態で、第２のラインを介して、外部機器に、問い合わせ信号が送信される。例えば、通信部は、第２のラインと、接地ラインとの間の抵抗値に基づいて、第１のラインが使用不能な状態にあることを認識する、ようにされてもよい。ここで、例えば、インタフェース部がスタンバイ状態にあるとき、第１のラインは使用不能な状態におかれ、この第１のラインを介してのコンテンツデータの伝送は不可能とされる。【００１０】
このように本技術においては、第１のラインが使用不能な状態で、第２のラインを介して、外部機器に、問い合わせ信号を送信するものである。そのため、第１のラインが使用不能な状態、例えば、インタフェース部がスタンバイ状態にある場合、その状態を維持したまま、外部機器に必要な事項を問い合わせることが可能となる。この場合、外部機器の消費電力を最大限セーブすることができるため、外部機器の省エネルギー化にも貢献できる。【００１１】
なお、本技術において、例えば、通信部は、第１のラインが使用不能な状態で、第２のラインを介して、外部機器から、問い合わせ信号に対する応答信号を受信する、ようにされてもよい。ここで、問い合わせ信号に対する応答信号を、外部機器から、第２のライン以外のラインを介して受信するようにされてもよい。第２のライン以外のラインとしては、電源ラインなどが考えられる。【００１２】
また、本技術において、例えば、外部機器の電源部に第３のラインを介して接続される充電部と、充電部の充電動作を制御する充電制御部とをさらに備え、問い合わせ信号は外部機器の電流供給能力を問い合わせるための信号であり、充電制御部は、応答信号に応じて充電部が第３のラインから引き込む電流値を制御する、ようにされてもよい。例えば、応答信号には、電流上限値の情報が含まれる、ようにされてもよい。また、例えば、応答信号には、電流上限値の種類を示す情報が含まれる、ようにされてもよい。この場合、例えば、インタフェース部がスタンバイ状態にある場合でも、その状態を維持したまま、外部機器から電流供給能力の情報を含む応答信号を取得でき、外部機器の電流供給能力の上限まで充電に利用でき、高速充電が可能となる。【００１３】
また、本技術において、例えば、外部機器の充電部に第３のラインを介して接続される電源部と、表示部と、この表示部の表示動作を制御する表示制御部とをさらに備え、問い合わせ信号は、外部機器のバッテリ残量を問い合わせるための信号であり、表示制御部は、応答信号に応じて表示部に外部機器のバッテリ残量情報を表示する、ようにされてもよい。この場合、例えば、インタフェース部がスタンバイ状態にある場合でも、その状態を維持したまま、外部機器からバッテリ残量情報を取得でき、表示部にバッテリ残量情報を表示できる。【００１４】
また、本技術の他の概念は、
外部機器のデジタルインタフェース部に伝送路を介して接続されるデジタルインタフェース部を備え、
上記デジタルインタフェース部は、
外部機器のデジタルインタフェース部に第１のラインを介して接続されるコンテンツデータ取扱部と、
上記外部機器のデジタルインタフェース部に第２のラインを介して接続される通信部とを有し、
上記通信部は、
上記外部機器のデジタルインタフェース部がスタンバイ状態で、上記第２のラインを介して、上記外部機器のデジタルインタフェース部に、問い合わせ信号を送信する
電子機器にある。【００１５】
本技術は、外部機器のデジタルインタフェース部に伝送路を介して接続されるデジタルインタフェース部を備えるものである。そして、このデジタルインタフェース部は、コンテンツデータ取扱部と通信部を有するものである。コンテンツデータ取扱部は、外部機器に第１のラインを介して接続されている。通信部は、外部機器に第２のラインを介して接続されている。コンテンツデータ取扱部は、例えば、コンテンツデータを外部機器に送信するコンテンツデータ送信部、あるいは、コンテンツデータを外部機器から受信するコンテンツデータ受信部である。【００１６】
そして、通信部により、デジタルインタフェース部がスタンバイ状態で、第２のラインを介して、外部機器のデジタルインタフェース部に、問い合わせ信号が送信される。ここで、デジタルインタフェース部がスタンバイ状態にあるとき、第１のラインは使用不能な状態におかれ、この第１のラインを介してのコンテンツデータの伝送は不可能とされる。例えば、デジタルインタフェースは、ＭＨＬ（Mobile High-definition Link）規格のインタフェースである、ようにされてもよい。【００１７】
このように本技術においては、外部機器のデジタルインタフェース部がスタンバイ状態で、第２のラインを介して、外部機器に、問い合わせ信号を送信するものである。そのため、外部機器のデジタルインタフェース部がスタンバイ状態である場合、その状態を維持したまま、外部機器に必要な事項を問い合わせることが可能となる。この場合、外部機器の消費電力を最大限セーブすることができるため、外部機器の省エネルギー化にも貢献できる。【００１８】
なお、本技術において、例えば、通信部は、外部機器のデジタルインタフェース部がスタンバイ状態で、第２のラインを介して、外部機器のデジタルインタフェース部から、問い合わせ信号に対する応答信号を受信する、ようにされてもよい。ここで、問い合わせ信号に対する応答信号を、外部機器から、第２のライン以外のラインを介して受信するようにされてもよい。第２のライン以外のラインとしては、電源ラインなどが考えられる。【００１９】
また、本技術の他の概念は、
シンク機器に第１のラインを介して接続されるコンテンツデータ送信部と、
上記シンク機器に第２のラインを介して接続される通信部と、
上記シンク機器の電源部に第３のラインを介して接続される充電部と、
上記充電部の充電動作を制御する充電制御部とを備え、
上記通信部は、
上記第１のラインが使用不能な状態で、上記第２のラインを介して、上記シンク機器に電流供給能力を問い合わせるための問い合わせ信号を送信すると共に、上記シンク機器から該問い合わせ信号に対する応答信号を受信し、
上記充電制御部は、
上記応答信号に応じて上記充電部が上記第３のラインから引き込む電流値を制御する
ソース機器にある。【００２０】
また、本技術の他の概念は、
ソース機器に第１のラインを介して接続されるコンテンツデータ受信部と、
上記ソース機器に第２のラインを介して接続される通信部と、
上記ソース機器の充電部に第３のラインを介して接続される電源部と、
表示部と、
上記表示部の表示動作を制御する表示制御部とを備え、
上記通信部は、
上記第１のラインが使用不能な状態で、上記第２のラインを介して、上記ソース機器にバッテリ残量を問い合わせるための問い合わせ信号を送信すると共に、上記ソース機器から該問い合わせ信号に対する応答信号を受信し、
上記表示制御部は、
上記応答信号に応じて上記表示部に上記外部機器のバッテリ残量情報を表示する
シンク機器にある。
【発明の効果】
【００２１】
本技術によれば、外部機器との間で必要な通信を良好に行うことができる。
【図面の簡単な説明】
【００２２】
【図１】本技術の実施の形態としての画像表示システムの構成例を示すブロック図である。
【図２】画像表示システムを構成するモバイルフォーンおよびテレビ受信機の構成例を示すブロック図である。
【図３】ＭＨＬソース機器であるモバイルフォーンのＭＨＬ送信部と、ＭＨＬシンク機器であるテレビ受信機のＭＨＬ受信部の構成例を示す図である。
【図４】ＭＨＬ規格のピンアサインの一例を示す図である。
【図５】テレビ受信機のＭＨＬ受信部（ＭＨＬシンク）の状態遷移を説明するための図である。
【図６】モバイルフォーンのＭＨＬ送信部（ＭＨＬソース）の状態遷移を説明するための図である。
【図７】ＭＨＬ受信部（ＭＨＬシンク）とＭＨＬ送信部（ＭＨＬソース）がＭＨＬケーブルで接続されたときのＣＢＵＳの概念を示す図である。
【図８】ＭＨＬ送信部（ＭＨＬソース）からＭＨＬ受信部（ＭＨＬシンク）に送るアクティブ要求パルスを示す図である。
【図９】制御部における充電電流の決定処理の手順の一例を示すフローチャートである。
【図１０】デバイス・ケーパビリティ・レジスタのフォーマット（一部抜粋）を示す図である。
【図１１】デバイス・ケーパビリティ・レジスタのＭＨＬバージョンの設定例を示す図である。
【図１２】デバイス・ケーパビリティ・レジスタのデバイス・カテゴリの設定例を示す図である。
【図１３】ＭＨＬ送信部（ＭＨＬソース）がＣＢＵＳ上でコマンドを使ってＭＨＬ受信部（ＭＨＬシンク）のＭＨＬバージョンを読み出す手順を示すシーケンス図である。
【図１４】ＭＨＬ送信部（ＭＨＬソース）からＭＨＬ受信部（ＭＨＬシンク）に送る電流上限値要求パルスの一例を示す図である。
【図１５】電流上限値要求パルスに対して、ＭＨＬ受信部（ＭＨＬシンク）からＭＨＬ送信部（ＭＨＬソース）に戻す応答パルスの一例を示す図である。
【図１６】ＭＨＬ送信部（ＭＨＬソース）からＭＨＬ受信部（ＭＨＬシンク）に送るシンプル化した電流上限値要求パルスの一例を示す図である。
【図１７】電流上限値要求パルスに対して、ＭＨＬ受信部（ＭＨＬシンク）からＭＨＬ送信部（ＭＨＬソース）に送るシンプル化した応答パルスの一例を示す図である。
【図１８】ＭＨＬ受信部側の電流上限値が０．５Ａである場合において、ＭＨＬ送信部に送る応答パルスの一例を示す図である。
【図１９】ＭＨＬ受信部とＭＨＬ送信部との間でＣＢＵＳを使用してパルスを伝送するメカニズムを説明するための図である。
【図２０】ＭＨＬ受信部とＭＨＬ送信部との間でＣＢＵＳを使用してパルスを伝送するメカニズムを説明するための図である。
【図２１】ＭＨＬ受信部とＭＨＬ送信部との間でＣＢＵＳを使用してパルスを伝送するメカニズムを説明するための図である。
【図２２】要求パルスを構成する４ビットコマンドの値とその意味との対応関係の一例を示す図である。
【発明を実施するための形態】
【００２３】
以下、発明を実施するための形態（以下、「実施の形態」とする）について説明する。なお、説明は以下の順序で行う。
１．実施の形態
２．変形例
【００２４】
＜１．実施の形態＞
［画像表示システム］
図１は、実施の形態としての画像表示システム１０の構成例を示している。この画像表示システム１０は、ＭＨＬ（Mobile High-definition Link）ソース機器としてのモバイルフォーン（Mobile Phone）１００と、ＭＨＬシンク機器としてのテレビ受信機２００とにより構成されている。これらの機器はＭＨＬケーブル３００によって接続されている。
【００２５】
ＭＨＬの概要を説明する。ＭＨＬは、主に、モバイル機器用のＡＶ(Audio Visual)デジタルインタフェース規格である。ＭＨＬは、ＭＨＬソース機器とＭＨＬシンク機器をＭＨＬケーブルで接続し、ＭＨＬソース機器が持っている動画、静止画、音声等のコンテンツをＭＨＬシンク機器で再生する（ＡＶストリーム・単方向）。また、機器間ではＥＤＩＤ読出し、ＨＤＣＰ認証、レジスタリード／ライト、リモコン制御等のコントロールをＤＤＣコマンド、およびＭＳＣ（MHL Sideband channel）コマンドを送受信することで行う（リンクコントロール・双方向）。
【００２６】
［モバイルフォーンおよびテレビ受信機の構成例］
図２は、モバイルフォーン１００およびテレビ受信機２００の構成例を示している。最初に、モバイルフォーン１００について説明する。モバイルフォーン１００は、制御部１０１、ユーザ操作部１０２および表示部１０３を有している。また、モバイルフォーン１００は、３Ｇ／４Ｇモデム１０４、カメラ部１０５、記録再生部１０６、送信処理部１０７、ＭＨＬ送信部（ＭＨＬソース）１０８およびＭＨＬ端子１０９を有している。さらに、モバイルフォーン１００は、充電回路１１０およびバッテリ１１１を有している。
【００２７】
制御部１０１は、モバイルフォーン１００の各部の動作を制御する。ユーザ操作部１０２および表示部１０３は、ユーザインタフェースを構成し、制御部１０１に接続されている。ユーザ操作部１０２は、モバイルフォーン１００の図示しない筐体に配置されたキー、釦、ダイアル、あるいは表示部１０３の表示面に配置されたタッチパネル等で構成される。表示部１０３は、ＬＣＤ(Liquid Crystal Display)、有機ＥＬ(Electro Luminescence)等で構成される。
【００２８】
３Ｇ／４Ｇモデム１０４は、携帯電話通信を行う。カメラ部１０５は、動画、静止画の撮像を行う。記録再生部１０６は、例えば、内蔵メモリ（不揮発性メモリ）、あるいはメモリカード等の記録媒体にドライブして記録再生（書き込み読み出し）を行う。この記録再生部１０６は、モデム１０４を通じて行われる通話の記録再生を行う。
【００２９】
また、この記録再生部１０６は、モデム１０４を通じて取得される動画、静止画の画像データ、音声データの記録再生、カメラ部（マイクロホンを含む）１０５で撮像されて得られる動画、静止画の画像データ、音声データの記録再生等を行う。なお、記録再生部１０６では、カメラ部１０５で撮像されて得られた動画、静止画の画像データに対して、データ圧縮のためのコーデック処理も行う。
【００３０】
ユーザは、ユーザ操作部１０２から指示することで、記録再生部１０６における記録媒体内の記録内容を、コンテンツリストとして表示させることができる。また、このコンテンツリスト中の任意の１つをユーザがユーザ操作部１０２から指定すると、記録再生部１０６において記録媒体からその指定されたコンテンツのデータが再生され、送信処理部１０７に転送される。
【００３１】
なお、３Ｇ／４Ｇモデム１０４で取得された画像データ、音声データ、あるいはカメラ部１０５で得られた画像データ、音声データを、リアルタイムで送信する場合も考えられる。その場合、それらのコンテンツデータは、図示していないが、直接、送信処理部１０７に転送される。また、メモリカードを他のデバイスに挿入してコンテンツデータを書き込んだ後、記録再生部１０６に装着して、送信処理部１０７に送信する場合も考えられる。
【００３２】
送信処理部１０７は、記録再生部１０６で再生され、テレビ受信機２００に送信するための動画、静止画、音声等のデータを適切な形態となるように処理する。例えば、３Ｄ画像データの伝送フォーマットおよびビデオフォーマットを、テレビ受信機２００で取り扱い可能となるように変換する。ＭＨＬ送信部１０８は、デジタルインタフェース部を構成する。このＭＨＬ送信部１０８は、ＭＨＬ端子１０９に接続されている。このＭＨＬ送信部１０８は、ＭＨＬ規格に準拠した通信により、送信処理部１０７で処理された画像、音声等のデータを、ＭＨＬ端子１０９から、ＭＨＬケーブル３００を介して、テレビ受信機２００に、一方向に送信する。このＭＨＬ送信部１０８の詳細については後述する。
【００３３】
充電回路１１０は、バッテリ１１１を充電する。この充電回路１１０は、テレビ受信機２００の電源部（定電圧回路）に電源ライン（ＶＢＵＳ）を介して接続されている。この充電回路１１０は、制御部１０１により決定された引き出し電流を電源ラインから引き出してバッテリ１１１を充電する。バッテリ１１１は、モバイルフォーン１００の内部回路に給電する。制御部１０１における引き出し電流の制御処理の詳細については後述する。
【００３４】
次に、テレビ受信機２００について説明する。テレビ受信機２００は、制御部２０１、ユーザ操作部２０２、ＭＨＬ端子２０３およびＭＨＬ受信部（ＭＨＬシンク）２０４を有している。また、テレビ受信機２００は、チューナ２０５、アンテナ端子２０６、切り替え部２０７、表示処理部２０８、表示パネル２０９および定電圧回路２１０を有している。制御部２０１は、テレビ受信機２００の各部の動作を制御する。ユーザ操作部２０２は、ユーザインタフェースを構成し、制御部２０１に接続されている。ユーザ操作部２０２は、テレビ受信機２００の図示しない筐体に配置されたキー、釦、ダイアル、あるいはリモコン等で構成される。
【００３５】
ＭＨＬ受信部２０４は、デジタルインタフェース部を構成している。このＭＨＬ受信部２０４は、ＭＨＬ端子２０３に接続されている。このＭＨＬ受信部２０４は、ＭＨＬ規格に準拠した通信により、ＭＨＬケーブル３００を介して接続されているモバイルフォーン１００のＭＨＬ送信部１０８から一方向に送信されてくる画像、音声等のデータを受信する。ＭＨＬ受信部２０４は、受信した画像データを切り替え部２０７に供給する。なお、ＭＨＬ受信部２０４が受信した音声のデータは、図示していない音声データ用の切り替え部に供給される。このＭＨＬ受信部２０４の詳細については後述する。
【００３６】
チューナ２０５は、ＢＳ放送、地上波デジタル放送等を受信する。このチューナ２０５には、アンテナ端子２０６に接続された図示しないアンテナで捕らえられた放送信号が供給される。このチューナ２０５は、放送信号に基づいて、所定の番組の画像データ（映像信号）および音声データを取得する。切り替え部２０７は、ＭＨＬ受信部２０４で受信された画像データまたはチューナ２０５で取得された画像データを選択的に取り出す。
【００３７】
表示処理部２０８は、切り替え部２０７で取り出された画像データに対して、クローズド・キャプション等の字幕やグラフィクスなどの重畳処理を行う。また、表示処理部２０８は、切り替え部２０７で取り出された画像データに対してスケーリング処理、画質向上処理を行って表示用画像データを得る。表示パネル２０９は、表示処理部２０８で得られた表示用画像データによる画像を表示する。表示パネル２０９は、例えば、ＬＣＤ(Liquid Crystal Display)、有機ＥＬ(Electro Luminescence)、ＰＤＰ(Plasma Display Panel)等で構成される。
【００３８】
定電圧回路２１０は、電源部を構成する。この定電圧回路２１０は、テレビ受信機２００の各部に給電する。また、この定電圧回路２１０は、電源ラインを介して、モバイルフォーン１１０に電源を供給する。
【００３９】
［ＭＨＬ送信部、ＭＨＬ受信部の構成例］
図３は、図２のモバイルフォーン１００のＭＨＬ送信部１０８と、テレビ受信機２００のＭＨＬ受信部２０４の構成例を示している。ＭＨＬ送信部１０８はトランスミッタ（Transmitter）を備え、ＭＨＬ受信部２０４はレシーバ（Receiver）を備えている。ＭＨＬ送信部１０８およびＭＨＬ受信部２０４は、５本のライン（MHL+、MHL-、CBUS、VBUS、GND）でピンおよびＭＨＬケーブル３００を介して接続される。ピンアサインはコネクタによって異なる。図４は、ピンアサインの一例を示している。
【００４０】
“ＭＨＬ＋”と“ＭＨＬ−”は１対のツイストペアでＡＶストリーム、および、その同期信号（ＭＨＬクロック）を伝送する。ＣＢＵＳは、ＤＤＣコマンドとＭＳＣコマンドを双方向に伝送するために使用する。ＤＤＣコマンドは、ＥＤＩＤ読出しやＨＤＣＰの認証に使用する。また、ＭＳＣコマンドは、ＥＤＩＤ読出し制御、各種レジスタのリードライト、リモコン制御等に使用する。ＶＢＵＳは、ＭＨＬシンク機器からＭＨＬソース機器に＋５Ｖの電源を供給するために使用する。
【００４１】
［ＭＨＬシンク機器とＭＨＬソース機器の状態］
ＭＨＬ受信部（ＭＨＬシンク）２０４とＭＨＬ送信部（ＭＮＬソース）１０８が取り得る状態を説明する。ここでは、ＭＨＬ受信部２０４を「シンク（ＳＩＮＫ）」、ＭＨＬ送信部１０８を「ソース（ＳＯＵＲＣＥ）」として説明する。
【００４２】
最初に、シンクが取り得る状態を説明する。図５は、シンクの状態遷移を示している。シンクは、ソースとの接続状態により、図示のように、５つの状態（ステート）を持つ。「ＳＮＫ１」は、シンクがスタンバイ状態（シンクが省電力モード）で、ソースの接続を認識できない状態（ソース未接続）を示す。「ＳＮＫ２」は、シンクがスタンバイ状態（シンクが省電力モード）で、ソースが接続されている状態を示す。
【００４３】
「ＳＮＫ３」は、シンクがソース側からアクティブ要求を受信し、移行に必要な処理を行っている過渡的な状態を示す。「ＳＮＫ４」は、シンクがアクティブ状態になっている事を示す。この状態においてのみ、シンクはＣＢＵＳ経由のコマンドの伝送が可能である。また、ソースからシンクに対し、ＭＨＬ＋／ＭＨＬ−ライン経由でビデオ・オーディオ伝送が可能なのも、このステートだけである。「ＳＮＫ５」は、ソースまたはシンクからの要求により、シンクがスタンバイ状態に戻るときの過渡的な状態を示す。
【００４４】
次に、ソースが取り得る状態を説明する。図６は、ソースの状態遷移を示している。ソースは、シンクとの接続状態により、図示のように、６つの状態（ステート）を持つ。「ＳＲＣ１」は、ソースが非アクティブ状態で、シンクの接続を認識できない状態（シンク未接続）を示す。「ＳＲＣ２」は、ソースが非アクティブ状態で、シンクとは電気的な接続だけの状態を示す。このときのシンクの状態は「ＳＮＫ２」である。
【００４５】
「ＳＲＣ３」は、ソースがシンク側にアクティブ要求を送信し、移行に必要な処理を行っている過渡的な状態を示す。このときのシンクの状態は「ＳＮＫ３」である。「ＳＲＣ４」は、ソースがアクティブ状態で、かつ、シンクの電流供給能力取得前で、シンクの電流供給能力が不明なときの状態を示す。このときのシンクの状態は「ＳＮＫ４」である。「ＳＲＣ５」は、ソースがアクティブ状態で、かつ、シンクの電流供給能力取得後の状態を示す。このときのシンクの状態は「ＳＮＫ４」である。
【００４６】
「ＳＲＣ４」および「ＳＲＣ５」において、ソースはＣＢＵＳを経由したコマンドの伝送が可能である。また、ソースからシンクに対し、ＭＨＬ＋／ＭＨＬ−ライン経由でビデオ・オーディオ伝送、すなわちコンテンツデータの伝送も可能である。「ＳＲＣ６」は、ソースまたはシンクからの要求により、ソースが非アクティブ状態に戻るときの過渡的な状態を示す。このときのシンクの状態は「ＳＮＫ５」である。
【００４７】
［ＭＨＬケーブル接続時のＣＢＵＳ概念］
図７は、ＭＨＬ受信部（ＭＨＬシンク）２０４とＭＨＬ送信部（ＭＨＬソース）１０８がＭＨＬケーブル３００で接続されたときのＣＢＵＳの概念を示している。ここでも、ＭＨＬ受信部２０４を「シンク（ＳＩＮＫ）」、ＭＨＬ送信部１０８を「ソース（ＳＯＵＲＣＥ）」として説明する。
【００４８】
例えば、シンク側の状態が「ＳＮＫ２」（スタンバイ状態）のとき、ＭＨＬ受信部２０４はＣＢＵＳ−ＧＮＤ間の抵抗値をＲ３（Ｓ３閉、Ｓ４開）としている。また、「ＳＮＫ２」では、シンクは省電力モードになっている。このとき、シンクは、ＭＨＬユニットのスタンバイ回路のみ通電状態とし、ＭＨＬユニットのその他の回路は非通電状態とする。スタンバイ回路では、ＣＢＵＳの電圧変化と数十ミリ秒程度のパルス幅の検出が可能である。
【００４９】
ソース側は、初期状態で、電圧Ｖ１と抵抗Ｒ２（Ｓ１開、Ｓ２閉）にプルアップしている。そして、ソースは、ＣＢＵＳ−ＧＮＤ間の抵抗値を監視し、ＣＢＵＳ−ＧＮＤ間の電圧がＲ２とＲ３の分圧ならば、「ＳＮＫ２」（スタンバイ状態）のシンクを検出したとして、自身は「ＳＲＣ２」に遷移する。つまり、ソースは、ＣＢＵＳ−ＧＮＤ間の抵抗値に基づいて、シンクが、「ＳＮＫ２」（スタンバイ状態）にあることを認識する。また、ソースは、ＶＢＵＳ（図７には図示していない）から０．１Ａを上限として電流引き込みを開始する。
【００５０】
ソースがシンクにアクティブ要求を出すとき、ＣＢＵＳ上で、図８で示すユニークなパルス、つまりアクティブ要求パルスをシンクに伝送し、「ＳＲＣ３」に遷移する。この図８において、パルスの伝送方向はソースからシンクへ、また、伝送するパルスのパターンは、左から右方向に順次伝送される。パルス幅は、前半が２０ｍＳ〜６０ｍＳの間で定義される。
【００５１】
シンクはスタンバイ回路で前半のパルスを検出すると「ＳＮＫ３」に遷移し、ＭＨＬユニットのスタンバイ回路以外の他の回路も通電状態とする。そして、後半の幅０．１ｍＳの連続したパルス検出で、図７のＣＢＵＳ−ＧＮＤ間抵抗値をＲ４（Ｓ３開、Ｓ４閉）に切り替えてから「ＳＮＫ４」（アクティブ状態）に遷移する。ＭＨＬユニット全体が通電状態にされると、ＣＢＵＳ上で１Ｍビット／秒の通信が双方向で可能になり、ソース−シンク間では、上述したＤＤＣコマンド、ＭＳＣコマンドのリクエスト、応答コマンドの送受信を行うことができる。
【００５２】
ソースはＣＢＵＳ−ＧＮＤ間の電圧がＲ２とＲ４の分圧に変化したことで、シンクが「ＳＮＫ４」に遷移したことを知り、プルアップ抵抗値をＲ２からＲ１（Ｓ１閉、Ｓ２開）に切り換えた後、自身も「ＳＲＣ４」に遷移する。詳細は後述するが、この状態で、ソースは、コマンドを使ってシンクから情報を取得し、シンク側の電流供給能力を決定する。そして、その上限値を超えない範囲でＶＢＵＳからの電流引き込み量をアップし、「ＳＲＣ５」に遷移する。
【００５３】
［モバイルフォーンにおける充電電流制御］
モバイルフォーン１００の制御部１０１における充電電流制御について説明する。なお、ＭＨＬ規格では、ＶＢＵＳを経由してシンク機器からソース機器に対してバッテリ充電用に５Ｖの電源を供給する。また、そのときにソースが引き込むことの出来る最大電流はＭＨＬのバージョンで異なる。
【００５４】
例えば、ＭＨＬ バージョンＡでは０．５Ａ、ＭＨＬ バージョンＢでは０．９Ａまたは１．５Ａと仮定する。あるシンクの電流供給能力が上述のいずれを持つかは、シンク内部のデバイス・ケーバビリティ・レジスタ（Device Capability Registers）を読みだすことで判断できる。
【００５５】
最初に、テレビ受信機２００のＭＨＬ受信部（ＭＨＬシンク）２０４が「ＳＮＫ４」（アクティブ状態）（図５参照）にある場合について説明する。この場合、制御部１０１はＭＨＬ送信部（ＭＨＬソース）１０８を通じて、ＭＨＬ受信部２０４側の電流供給能力情報を取得して、以下のように充電電流を決定する。そして、制御部１０１は、ＶＢＵＳからその決定された充電電流を引き込むように、充電回路１１０を制御する。
【００５６】
制御部１０１は、デバイス・ケーパビリティ・レジスタ（Device Capability Registers）内のＭＨＬバージョン（機器自身が対応しているＭＨＬバージョン番号を登録)を読み出し、バージョンＡならば充電電流を０．５Ａに決定する。また、制御部１０１は、バージョンＢの場合、デバイス・カテゴリ(機器自身が持つ電流供給能力を登録）を参照する。このデバイス・カテゴリは、２ビット値の組み合わせで示されている。制御部１０１は、「００」ならば０．５Ａ、「０１」ならば０．９Ａ、「０１」ならば１．５Ａにそれぞれ決定する。
【００５７】
図９のフローチャートは、制御部１０１における充電電流の決定処理の手順の一例を示している。制御部１０１は、ステップＳＴ１において、処理を開始し、その後、ステップＳＴ２の処理に移る。このステップＳＴ２において、制御部１０１は、ＭＨＬバージョンがＡであるか否かを判別し、ＭＨＬバージョンがＡであるとき、制御部１０１は、ステップＳＴ３において、充電電流を０．５Ａに決定し、その後、ステップＳＴ４において、処理を終了する。
【００５８】
ステップＳＴ２でＭＨＬバージョンがＡでないとき、つまりＭＨＬバージョンがＢのとき、制御部１０１は、ステップＳＴ５において、デバイス・カテゴリの２ビット値を確認する。そして、制御部１０１は、ステップＳＴ６において、「００」であるか否かを判別する。「００」であるとき、制御部１０１は、ステップＳＴ７において、充電電流を０．５Ａに決定し、その後、ステップＳＴ４において、処理を終了する。
【００５９】
ステップＳＴ６で「００」でないとき、制御部１０１は、ステップＳＴ８において、「０１」であるか否かを判別する。「０１」であるとき、制御部１０１は、ステップＳＴ９において、充電電流を０．９Ａに決定し、その後、ステップＳＴ４において、処理を終了する。
【００６０】
ステップＳＴ８で「０１」でないとき、制御部１０１は、ステップＳＴ１０において、「１０」であるか否かを判別する。「１０」であるとき、制御部１０１は、ステップＳＴ１１において、充電電流を１．５Ａに決定し、その後、ステップＳＴ４において、処理を終了する。
【００６１】
ステップＳＴ１０で「１０」でないとき、制御部１０１は、ステップＳＴ１２において、エラーとし、直ちに、ステップＳＴ４において、処理を終了する。このように充電電流の決定処理がエラーで終了する場合には、充電電流は、最低保証電流値０．１Ａのままにおかれる。
【００６２】
図１０は、デバイス・ケーパビリティ・レジスタのフォーマット（一部抜粋）を示している。このデバイス・ケーパビリティ・レジスタは、ＭＨＬバージョン（MHL Version）やデバイス・カテゴリ（Device Category）等を含む複数の登録スペースで構成される。「オフセット値」は、デバイス・ケーパビリティ・レジスタの先頭からの位置を示す。例えば、ＭＨＬバージョンは、オフセット値が０ｘ０１で、これは先頭から２バイト目を示す。
【００６３】
図１１は、ＭＨＬバージョンの設定例を示している。この例は、バージョンＡ（０ｘ４１）の場合の設定例である。図１２は、デバイス・カテゴリの設定例を示している。この例は、０．９Ａの場合の設定例であり、第６ビットのビット値が「０」とされ、第５ビットのビット値が「１」とされている。
【００６４】
ＭＨＬ送信部（ＭＨＬソース）１０８は、デバイス・ケーパビリティ・レジスタの読み出しを、ＣＢＵＳ上で定義されたコマンドを使用して行う。図１３は、ＭＨＬ送信機１０８が、ＣＢＵＳ上でコマンドを使って、ＭＨＬ受信機（ＭＨＬシンク）２０４のＭＨＬバージョンを読み出す手順を示している。デバイス・カテゴリの読み出しも、この手順に準ずる。ここでは、ＭＨＬ送信部１０８を「ソース（ＳＯＵＲＣＥ）」、ＭＨＬ受信部２０４を「シンク（ＳＩＮＫ）」として説明する。
【００６５】
まず、ソース側からデバイス・ケーパビリティ・レジスタリクエストコマンドとＭＨＬバージョンオフセット値“０ｘ０１”をシンクに伝送する。シンクは、これに対して、デバイス・ケーパビリティ・レジスタ応答コマンドとＭＨＬバージョンに登録されている値を返す。図１３では、０ｘ４１（バージョンＡ）を応答していることを示す。なお、デバイス・カテゴリをリクエストする場合は、リクエストコマンドに続き、０ｘ０２を伝送する。
【００６６】
次に、テレビ受信機２００のＭＨＬ受信部（ＭＨＬシンク）２０４が「ＳＮＫ２」（スタンバイ状態）（図５参照）にある場合について説明する。この場合、ＭＨＬ送信部（ＭＨＬソース）１０８は、ＣＢＵＳ経由で、上述の図１３に示すコマンドを伝送することができない。そのため、この場合、モバイルフォーン１００のＭＨＬ送信部（ＭＨＬソース）１０８は、上述のテレビ受信機２００のＭＨＬ受信部（ＭＨＬシンク）２０４が「ＳＮＫ４」（アクティブ状態）にある場合と同様の方法ではＭＨＬ受信部２０４側から電流供給能力情報を取得することができない。
【００６７】
ＭＨＬ送信部１０８がＭＨＬ受信部２０４側の電流供給能力情報を取得できない場合、モバイルフォーン１００では、ＶＢＵＳから引き込む充電電流として、ＭＨＬ各バージョンで定義する最低保証の電流値（例えば０．１Ａ）までしか、使用できない。
【００６８】
また、ＭＨＬ受信部（ＭＨＬシンク）２０４側では、「ＳＮＫ２」のスタンバイ状態と、「ＳＮＫ４」のアクティブ状態では、電流供給能力が異なる場合がある。そのため、ＭＨＬ送信部１０８は、「ＳＲＣ４」のアクティブ状態で読みとったとしても、「ＳＲＣ５」の状態を経由して「ＳＲＣ２」の非アクティブ状態に戻ったときは、無効となり、再び最低保証の電流値（０．１Ａ）までの使用となる。
【００６９】
このように、モバイルフォーン１００、つまりＭＨＬ送信部１０８側では、「ＳＲＣ２」、「ＳＲＣ３」、「ＳＲＣ４」の各状態では最低保証電流値の上限（０．１Ａ）を使用する。また、ＭＨＬ送信部１０８側では、「ＳＲＣ５」の状態では、ＭＨＬ受信部２０４側の電流供給能力の上限（例えばバージョンＢでは最大１．５Ａ）を使用する。そして、ＭＨＬ送信部１０８側では、「ＳＲＣ６」を経由して「ＳＲＣ２」に遷移するとき、最低保証値に戻す。
【００７０】
バージョンＡを例に取ると、ＭＨＬ受信部（ＭＨＬシンク）２０４側の電流供給能力が１．５Ａの場合、ＳＲＣ２（０．１Ａ）→ＳＲＣ３（０．１Ａ）→ＳＲＣ４（０．１Ａ）→ＳＲＣ５（１．５Ａ）→ＳＲＣ６（１．５Ａから０．１Ａに切り替え）→ＳＲＣ２（０．１Ａ）・・・というサイクルを繰り返す。つまり、ＭＨＬ受信部（ＭＨＬシンク）２０４が「ＳＲＣ５」以外の状態では、上限０．１Ａまでしか使用できない。
【００７１】
使用例として、ユーザが単にバッテリを充電する場合だけを目的として、モバイルフォーン１００をテレビ受信機２００につなぐ場合を考える。この場合、モバイルフォーン１００がＶＢＵＳを介して使用できる電流値は上限０．１Ａである。これは、モバイルフォーン１００のバッテリ１１１を充電するにはパワー不足で、フル充電までに長時間を要し、ユーザにとっては使いづらい。
【００７２】
もともと、ＭＨＬ受信部（ＭＨＬシンク）２０４側には最大で１．５Ａの電流供給能力を備えているので、これを有効活用することが望まれる。また、ＭＨＬ送信部１０８側では、ＭＨＬ受信部２０４が「ＳＮＫ４」のアクティブ状態で充電すると電流供給能力の上限まで利用できる。しかし、この場合には、スタンバイ回路のみ電源オンとなる「ＳＮＫ２」と比較すると、ＭＨＬ受信部２０４、つまりテレビ受信機側の消費電力が無駄に増加することになる。
【００７３】
そこで、この実施の形態では、テレビ受信機２００のＭＨＬ受信部（ＭＨＬシンク）２０４が「ＳＮＫ２」（スタンバイ状態）（図５参照）にある場合、以下のようにして、ＭＨＬ受信部２０４側の電流供給能力情報を取得して、充電電流を決定する。すなわち、ＭＨＬ送信部（ＭＨＬソース）１０８は、ＣＢＵＳ上に低速で長周期のパルスを発生し、これをデータの通信手段に利用し、ＭＨＬ受信部２０４側の電流供給能力情報を取得する。これにより、ＭＨＬ送信部１０８側では、ＭＨＬ受信部２０４がアクティブ状態だけでなく、ＭＨＬ受信部２０４がスタンバイ状態にあっても、ＭＨＬ受信部２０４側の電流供給能力上限までバッテリ充電に利用可能となる。
【００７４】
ＭＨＬ送信部（ＭＨＬソース）１０８は、ＭＨＬ受信部（ＭＨＬシンク）２０４が「ＳＮＫ２」（スタンバイ状態）にあるとき、問い合わせ信号としての電流上限値要求パルスを、ＭＨＬ受信部（ＭＨＬシンク）２０４に送信する。この場合、ＭＨＬ送信部１０８は、パルスの幅がＭＨＬ受信部（ＭＨＬシンク）２０４側のスタンバイ回路で十分に認識可能な、概ね１０ｍＳ〜６０ｍＳ程度のパルス長を持つ、図１４に示すような、ユニークなパルス波形を、ＣＢＵＳ経由でＭＨＬ受信部２０４に伝送する。
【００７５】
電流上限値要求パルスは、図１４に示すように、例えば、Ｗａｋｅ Ｕｐ、ＳＴＸ、４ビットコマンド、ＥＴＸの各パルスにより構成される。ＭＨＬ送信部１０８は、各パルスを順次送信する。そして、電流上限値要求を意味する４ビットコマンドとして、例えば、「１００１」を割り当てる。
【００７６】
ＭＨＬ受信部２０４は、この電流上限値要求パルスに応答し、例えば、図１５に示すように、応答信号としての応答パルスを、ＣＢＵＳを介して、ＭＨＬ送信部１０８に送信する。この応答パルスは、図１５に示すように、例えば、ＳＴＸ、４ビット応答、ＥＴＸの各パルスにより構成される。ＭＨＬ受信部２０４は、各パルスを順次送信する。４ビット応答には、電流上限値の情報が含まれる。例えば、４ビット応答として、０Ａ（電流供給なし）を意味する「００００」、０．５Ａを意味する「０１０１」、０．９Ａを意味する「１００１」、あるいは１．５Ａを意味する「１１１１」などが割り当てられる。なお、図１５では、４ビット応答値が「０１０１」（０．５Ａ）であることを示している。
【００７７】
なお、図１４と図１５におけるＷａｋｅ Ｕｐ、ＳＴＸ、ＥＴＸのパルス波形は、ＭＨＬ受信部（ＭＨＬシンク）２０４のスタンバイ回路で識別可能であれば、他の形状にしても構わない。
【００７８】
モバイルフォーン１００の制御部１０１は、ＭＨＬ送信部１０８で受信される応答パルスの４ビット応答値により、ＭＨＬ受信部２０４側、従ってテレビ受信機２００の電流供給能力（電流上限値）を把握して、充電電流を決定する。そして、制御部１０１は、ＶＢＵＳからその決定された充電電流を引き込むように、充電回路１１０を制御する。
【００７９】
上述したように、図１に示す画像表示システム１０において、モバイルフォーン１００のＭＨＬ送信部（ＭＨＬソース）１０８は、テレビ受信機２００のＭＨＬ受信部（ＭＨＬシンク）２０４がスタンバイ状態で、ＣＢＵＳを介して、このＭＨＬ受信部２０４に、電流上限値要求パルスを送信する。そのため、テレビ受信機２００のＭＨＬ受信部２０４がスタンバイ状態である場合、その状態を維持したまま、ＭＨＬ受信部２０４に電流上限値を問い合わせることができる。
【００８０】
従って、モバイルフォーン１００では、ＭＨＬ受信部（ＭＨＬシンク）２０４側、つまりテレビ受信機２００の電流供給能力の上限まで充電に利用でき、高速充電が可能となる。また、テレビ受信機２００では、スタンバイ状態を維持したままに置かれるので、消費電力を最大限セーブすることができ、外部機器の省エネルギー化にも貢献できる。
【００８１】
［要求パルス、応答パルスのシンプル化］
なお、上述では、テレビ受信機２００のＭＨＬ受信部（ＭＨＬシンク）２０４が「ＳＮＫ２」（スタンバイ状態）にあるとき、モバイルフォーン１００のＭＨＬ送信部（ＭＨＬソース）１０８がＭＨＬ受信部２０４に図１４に示すような電流上限値要求パルスを送信し、それに対して、ＭＨＬ受信部２０４がＭＨＬ送信部１０８に図１５に示すような応答パルスを送信するものであった。しかし、ＭＨＬ受信部（ＭＨＬシンク）２０４がスタンバイ状態での通信を電流上限値取得のみに限定するのであれば、図１４に示す電流上限値要求パルスおよび図１５に示す応答パルスを、さらにシンプル化することが可能となる。
【００８２】
図１６は、ＭＨＬ送信部１０８からＭＨＬ受信部２０４に送る電流上限値要求パルスの一例を示している。この電流上限値要求パルスは、図１４に示す電流上限値要求パルスをシンプル化したものである。この電流上限値要求パルスは、上述の図８に示すアクティブ要求パルスと区別するために、長いパルスをＰａ，Ｐｂ，Ｐｃを等間隔で連続した構成とされている。
【００８３】
また、図１７（ａ）〜（ｄ）は、ＭＨＬ受信部２０４からＭＨＬ送信部１０８に送る応答パルスの一例を示している。この応答パルスは、図１５に示す応答パルスをシンプル化したものである。この応答パルスには、電流上限値の種類を示す情報が含まれる。図１７（ａ）〜（ｄ）の応答パルスは、ＭＨＬ受信部２０４側の電流上限値の種類が０Ａ、０．５Ａ、０．９Ａ、１．５Ａの４種類に限定される場合の例である。
【００８４】
この応答パルスは、０本から３本までの短いパルスＰｃの前後を長いパルスＰａ，Ｐｂで挟んだ構成とされている。ＭＨＬ受信部２０４は、最初の長いパルスＰａを伝送の開始（ＳＴＸ）、最後の次の長いパルスＰｂを伝送の終了（ＥＴＸ）と判断し、その間の短いパルスＰｃの本数を数えることにより電流上限値を知ることができる。図１７（ａ），（ｂ），（ｃ），（ｄ）は、それぞれ、電流上限値が０Ａ、０．５Ａ、０．９Ａ、１．５Ａであることを示す応答パルスである。図１８は、ＭＨＬ受信部２０４側の電流上限値が０．５Ａである場合において、ＭＨＬ送信部１０８に送る応答パルスの一例を示している。
【００８５】
［シンクからソースへの要求（問い合わせ）］
また、上述では、モバイルフォーン１００のＭＨＬ送信部（ＭＨＬソース）１０８からテレビ受信機２００のＭＨＬ受信部（ＭＨＬシンク）２０４に問い合わせ信号としての電流上限値要求パルスを送り、それに対して、ＭＨＬ受信部２０４からＭＨＬ送信部１０８に応答信号としての応答パルスが戻されるものである。しかし、この逆に、テレビ受信機２００のＭＨＬ受信部（ＭＨＬシンク）２０４からモバイルフォーン１００のＭＨＬ送信部（ＭＨＬソース）１０８に問い合わせ信号を送り、それに対して、ＭＨＬ送信部１０８からＭＨＬ受信部２０４に応答信号が戻される構成も考えられる。
【００８６】
例えば、テレビ受信機２００のＭＨＬ受信部（ＭＨＬシンク）２０４からモバイルフォーン１００のＭＨＬ送信部（ＭＨＬソース）１０８に問い合わせ信号としてのバッテリ残量要求パルスを送る。このバッテリ残量要求パルスは、例えば、上述の図１４の電流上限値要求パルスにおいて、４ビットコマンドを、バッテリ残量要求を意味する、例えば、「１０１０」に置き換えたものとされる。
【００８７】
この場合、ＭＨＬ送信部１０８は、バッテリ残量を、上述の図１５に示すような応答パルスを使用して、ＭＨＬ受信部２０４に応答する。この応答パルスにおいて、４ビット応答は、例えば、バッテリ残量（％）の１０の位を指定するものとされる。例えば、４ビット応答は、バッテリ残量が８０％の場合には「１０００（８）」とされ、バッテリ残量が１００％の場合には「１０１０（１０）」とされる。
【００８８】
バッテリ残量の応答パルスを受け取ったＭＨＬ受信部（ＭＨＬシンク）２０４側、つまりテレビ受信機２００では、制御部２０１は、そのバッテリ残量情報に基づいて、ＯＳＤ表示データを発生し、表示パネル２０９の所定部分、例えば画面隅に、モバイルフォーン１００のバッテリ残量の表示を行う。これにより、テレビ受信機２００を視聴するユーザはモバイルフォーン１００のバッテリ残量、従ってその充電進行状況を容易知ることができる。なお、テレビ受信機２００からモバイルフォーン１００へのバッテリ残量要求パルスの送信は、周期的に自動で行われてもよく、あるいはユーザの意図的な操作に応じて行われてもよい。
【００８９】
ここで、ＭＨＬ受信部（ＭＨＬシンク）２０４とＭＨＬ送信部（ＭＮＬソース）１０８との間でＣＢＵＳを使用してパルスを伝送するメカニズムについて説明する。ここでは、ＭＨＬ受信部２０４を「シンク（ＳＩＮＫ）」、ＭＨＬ送信部１０８を「ソース（ＳＯＵＲＣＥ）」として説明する。
【００９０】
上述したように、シンクが「ＳＮＫ２」（スタンバイ状態）のとき、ソースは「ＳＲＣ２」（非アクティブ状態）であり、そのときは、図１９のように、Ｒ２とＲ３が接続している。また、Ｒ４の抵抗値はＲ３より十分に大きい。仮に、Ｒ３を１ｋΩ、Ｒ４を１００ｋΩとする。ソースからＳＩＮＫにパルスを送る場合は、ドライバＤ１を使用する。また、ＳＩＮＫからＳＯＵＲＣＥに送る場合はスイッチＳ３とＳ４を開閉する。
【００９１】
図１９の状態は、Ｓ３が閉、Ｓ４が開で、このときのＣＢＵＳ−ＧＮＤ間電圧をロー（Ｌｏｗ）状態とする。シンクがパルスを発生させる場合、図２０のようにＳ３を開、Ｓ４を閉にすると、Ｒ３（１ｋΩ）からＲ４（１００ｋΩ）に切り換わるので、ＣＢＵＳ−ＧＮＤ間の電圧は上昇してハイ（Ｈｉｇｈ）状態となる。このとき、ソースはシンクから応答パルスが来たと判断する。シンクは、パルス波形に従って、ハイ（Ｈｉｇｈ）状態では図２０に、ロー（Ｌｏｗ）状態では図１９に、スイッチ開閉状態を切り替えながら、ソースを伝送する。
【００９２】
なお、シンクからソースにパルスを送る場合、上述したスイッチ開閉ではなく、例えば、図２１に示すように、シンク側の回路にドライバＤ２を追加し、これを使用する方法もある。
【００９３】
また、上述では、問い合わせ信号として、電流上限値要求パルスおよびバッテリ残量要求パルスの例を示した。しかし、その他の問い合わせ信号も同様に考えることができる。その場合の要求パルスは、例えば、上述の図１４の電流上限値要求パルスにおいて、４ビットコマンドを、その要求を意味する値に変更した構成とされる。
【００９４】
図２２は、４ビットコマンドの値とその意味との対応関係の一例を示している。例えば、「１００１」が電流上限値要求を意味し、「１０１０」がバッテリ残量要求を意味することは、上述した通りである。なお、「１０１１」〜「１１１１」は、リザーブであり、現在は未使用であることが示されている。
【００９５】
＜２．変形例＞
なお、上述実施の形態においては、例えば、要求パルスをＣＢＵＳで送り、それに対する応答パルスもＣＢＵＳを通じて受信する例を示した。しかし、応答パルスは、必ずしもＣＢＵＳで戻されなくてもよい。例えば、ＭＨＬ送信部（ＭＨＬソース）１０８からＭＨＬ受信部（ＭＨＬシンク）２０４に要求パルスを送る場合、ＭＨＬ受信部（ＭＨＬシンク）２０４は、それに対応する応答パルスを、電源ラインであるＶＢＵＳを介して戻すことが考えられる。
【００９６】
また、上述実施の形態において、ＭＨＬソース機器がモバイルフォーン１００であり、ＭＨＬシンク機器がテレビ受信機２００である例を示した。しかし、ＭＨＬソース機器、ＭＨＬシンク機器の組み合わせはこれに限定されるものでないことは勿論である。
【００９７】
また、本技術は、以下のような構成を取ることもできる。
（１）外部機器に第１のラインを介して接続されるコンテンツデータ取扱部と、
上記外部機器に第２のラインを介して接続される通信部とを備え、
上記通信部は、
上記第１のラインが使用不能な状態で、上記第２のラインを介して、上記外部機器に、問い合わせ信号を送信する
電子機器。
（２）上記通信部は、
上記第１のラインが使用不能な状態で、上記第２のラインを介して、上記外部機器から、上記問い合わせ信号に対する応答信号を受信する
前記（１）に記載の電子機器。
（３）上記外部機器の電源部に第３のラインを介して接続される充電部と、
上記充電部の充電動作を制御する充電制御部とをさらに備え、
上記問い合わせ信号は上記外部機器の電流供給能力を問い合わせるための信号であり、
上記充電制御部は、
上記応答信号に応じて上記充電部が上記第３のラインから引き込む電流値を制御する
前記（２）に記載の電子機器。
（４）上記応答信号には、電流上限値の情報が含まれる
前記（３）に記載の電子機器。
（５）上記応答信号には、電流上限値の種類を示す情報が含まれる
前記（３）に記載の電子機器。
（６）上記外部機器の充電部に第３のラインを介して接続される電源部と、
表示部と、
上記表示部の表示動作を制御する表示制御部とをさらに備え、
上記問い合わせ信号は、上記外部機器のバッテリ残量を問い合わせるための信号であり、
上記表示制御部は、
上記応答信号に応じて上記表示部に上記外部機器のバッテリ残量情報を表示する
前記（２）に記載の電子機器。
（７）上記通信部は、
上記第２のラインと、接地ラインとの間の抵抗値に基づいて、上記第１のラインが使用不能な状態にあることを認識する
前記（１）から（６）のいずれかに記載の電子機器。
（８）外部機器に第１のラインを介して接続されるコンテンツデータ取扱部と、
上記外部機器に第２のラインを介して接続される通信部と、
上記外部機器の電源部に第３のラインを介して接続される充電部とを備える電子機器の充電制御方法であって、
上記第１のラインが使用不能な状態にあるとき、上記通信部から上記第２のラインを介して上記外部機器に上記外部機器の電流供給能力を問い合わせるための問い合わせ信号を送信し、該問い合わせ信号に対して上記通信部で上記外部機器から上記第２のラインを介して応答信号を受信し、該応答信号に応じて上記充電部が上記第３のラインから引き込む電流値を制御する
電子機器の充電制御方法。
（９）外部機器に第１のラインを介して接続されるコンテンツデータ取扱部と、
上記外部機器に第２のラインを介して接続される通信部と、
上記外部機器の充電部に第３のラインを介して接続される電源部と、
表示部とを備える電子機器のバッテリ残量表示方法であって、
上記第１のラインが使用不能な状態にあるとき、上記通信部から上記第２のラインを介して上記外部機器に上記外部機器のバッテリ残量を問い合わせるための問い合わせ信号を送信し、該問い合わせ信号に対して上記通信部で上記外部機器から上記第２のラインを介して応答信号を受信し、該応答信号に応じて上記表示部に上記外部機器のバッテリ残量情報を表示する
電子機器のバッテリ残量表示方法。
（１０）外部機器のデジタルインタフェース部に伝送路を介して接続されるデジタルインタフェース部を備え、
上記デジタルインタフェース部は、
外部機器のデジタルインタフェース部に第１のラインを介して接続されるコンテンツデータ取扱部と、
上記外部機器のデジタルインタフェース部に第２のラインを介して接続される通信部とを有し、
上記通信部は、
上記外部機器のデジタルインタフェース部がスタンバイ状態で、上記第２のラインを介して、上記外部機器のデジタルインタフェース部に、問い合わせ信号を送信する
電子機器。
（１１）上記通信部は、
上記外部機器のデジタルインタフェース部がスタンバイ状態で、上記第２のラインを介して、上記外部機器のデジタルインタフェース部から、上記問い合わせ信号に対する応答信号を受信する
前記（１０）に記載の電子機器。
（１２）上記デジタルインタフェースは、ＭＨＬ（Mobile High-definition Link）規格のインタフェースである
前記（１０）または（１１）に記載の電子機器。
（１３）シンク機器に第１のラインを介して接続されるコンテンツデータ送信部と、
上記シンク機器に第２のラインを介して接続される通信部と、
上記シンク機器の電源部に第３のラインを介して接続される充電部と、
上記充電部の充電動作を制御する充電制御部とを備え、
上記通信部は、
上記第１のラインが使用不能な状態で、上記第２のラインを介して、上記シンク機器に電流供給能力を問い合わせるための問い合わせ信号を送信すると共に、上記シンク機器から該問い合わせ信号に対する応答信号を受信し、
上記充電制御部は、
上記応答信号に応じて上記充電部が上記第３のラインから引き込む電流値を制御する
ソース機器。
（１４）ソース機器に第１のラインを介して接続されるコンテンツデータ受信部と、
上記ソース機器に第２のラインを介して接続される通信部と、
上記ソース機器の充電部に第３のラインを介して接続される電源部と、
表示部と、
上記表示部の表示動作を制御する表示制御部とを備え、
上記通信部は、
上記第１のラインが使用不能な状態で、上記第２のラインを介して、上記ソース機器にバッテリ残量を問い合わせるための問い合わせ信号を送信すると共に、上記ソース機器から該問い合わせ信号に対する応答信号を受信し、
上記表示制御部は、
上記応答信号に応じて上記表示部に上記外部機器のバッテリ残量情報を表示する
シンク機器。
【符号の説明】
【００９８】
１０・・・画像表示システム
１００・・・モバイルフォーン
１０１・・・制御部
１０２・・・ユーザ操作部
１０３・・・表示部
１０４・・・３Ｇ／４Ｇモデム
１０５・・・カメラ部
１０６・・・記録再生部
１０７・・・送信処理部
１０８・・・ＭＨＬ送信部（ＭＨＬソース）
１０９・・・ＭＨＬ端子
１１０・・・充電回路
１１１・・・バッテリ
２００・・・テレビ受信機
２０１・・・制御部
２０２・・・ユーザ操作部
２０３・・・ＭＨＬ端子
２０４・・・ＭＨＬ受信部（ＭＨＬシンク）
２０５・・・チューナ
２０６・・・アンテナ端子
２０７・・・切り替え部
２０８・・・表示処理部
２０９・・・表示パネル
２１０・・・定電圧回路
３００・・・ＭＨＬケーブル
【図１】
2014061624.tif 000003
【図２】
2014061624.tif 000004
【図３】
2014061624.tif 000005
【図４】
2014061624.tif 000006
【図５】
2014061624.tif 000007
【図６】
2014061624.tif 000008
【図７】
2014061624.tif 000009
【図８】
2014061624.tif 000010
【図９】
2014061624.tif 000011
【図１０】
2014061624.tif 000012
【図１１】
2014061624.tif 000013
【図１２】
2014061624.tif 000014
【図１３】
2014061624.tif 000015
【図１４】
2014061624.tif 000016
【図１５】
2014061624.tif 000017
【図１６】
2014061624.tif 000018
【図１７】
2014061624.tif 000019
【図１８】
2014061624.tif 000020
【図１９】
2014061624.tif 000021
【図２０】
2014061624.tif 000022
【図２１】
2014061624.tif 000023
【図２２】
2014061624.tif 000024
【国際調査報告】
2014061624.tif 000025
2014061624.tif 000026